(57)【要約】【課題】  組立てが容易であると共に、堅固で、耐重量性及び安定性に優れ、外観的にも美麗な物入れ・物置台等のフレーム構造を提供することを課題とする。【解決手段】  コネクタの主支幹（１）及び副支幹（４）をフレーム管（１０）の端部に嵌め込み、ボルト（７３）の先端を、副支幹の枠形リブ（４１）のスロット（４１１）から、座金（７１）のボルト挿通孔、副支幹の対向側壁（４２）のスロット（４１２）、フレーム管の隔壁板（１０２）に明けたボルト挿通孔、主支幹の対向側壁（１２）のスロット（１３）を順次貫通させ、ナット（７２）にねじ込み締め付けることにより、ナット（７２）と座金（７１）の間に挟まれた主支幹の対向側壁（１２）、フレーム管の隔壁板（１０２）及び副支幹の対向側壁（４２）を互いに堅固に密着、固定せしめるよう構成したことを特徴とする。【選択図】図２
2005106237.tif 000002
【特許請求の範囲】
【請求項１】
複数本の横向き及び縦向きのフレーム管（１０，２０，３０，９３，９４）と、それらの端部を互いに連結する複数個のコネクタ（９１，９２）とから成る物入れ・物置台等のフレーム構造であって; 
上記各コネクタは、上記各フレーム管の端部に嵌め入れられる多方向に延び出る支幹を有し、それらの各支幹は、組み立てられたとき物入れ・物置台等の外方に臨む主支幹（１，２，３）と、内方に臨む副支幹（４，５，６）とから成り、当該主支幹と副支幹は、互いに平行かついずれも中空状に形成され、主支幹の対向側壁（１２）と副支幹の対向側壁（４２）とは間隙部（８）を隔てて互いに平行に対向するよう形成され、中空状の主支幹（１）の上記対向側壁（１２）の内壁面には、ナット収容スペース（１１０）を画成するための軸方向に延びる枠形リブ（１１）が形成され、同様に、中空状の副支幹（４）の上記対向側壁（４２）の内壁面には、座金収容スペース（４１０）を画成するための軸方向に延びる枠形リブ（４１）が形成され、主支幹の対向側壁（１２）と副支幹の対向側壁（４２）と当該副支幹の内壁面の上記枠形リブ（４１）とには、それぞれ対応する領域に略同形の軸方向に延びるスロット（１３、４１２、４１１）が形成されると共に、副支幹の物入れ・物置台等の内方に臨む側壁には窓孔（４３）が形成され; 
上記フレーム管（１０，２０，３０）は、少なくともその端部領域が、その内部に上記コネクタの主支幹（１，２，３）及び副支幹（４，５，６）を緊密に嵌め込み得る内面形状を有し、その内部には、上記主支幹の対向側壁（１２）と副支幹の対向側壁（４２）との間の上記間隙部（８）に挿入される当該間隙部の間隔と略同等の肉厚の隔壁板（１０２）が設けられると共に、その側壁には、上記主支幹及び副支幹を嵌め込んだときに副支幹の上記窓孔（４３）と対応する位置に窓孔（１０１）が形成され、上記隔壁板（１０２）が上記窓孔（１０１）に臨む位置にはボルト挿通孔が明けられて成り; 
これらを組み立てるときは、コネクタの各主支幹（１，２，３）及び副支幹（４，５，６）を各フレーム管（１０，２０，３０）の端部に嵌め込み、フレーム管の窓孔（１０１）及び副支幹の窓孔（４３）を通じて挿入したボルト（７３）の先端を、副支幹の枠形リブ（４１）のスロット（４１１）から、座金（７１）のボルト挿通孔、副支幹の対向側壁（４２）のスロット（４１２）、フレーム管の隔壁板（１０２）に明けた前記ボルト挿通孔、主支幹の対向側壁（１２）のスロット（１３）を順次貫通させ、上記ナット（７２）にねじ込み締め付けることにより、ナット（７２）と座金（７１）の間に挟まれた主支幹の対向側壁（１２）、フレーム管の隔壁板（１０２）及び副支幹の対向側壁（４２）を互いに堅固に密着、固定せしめ、これによって、コネクタとフレーム管を堅固に固定し、堅牢な構造物を組み立て得るよう構成したことを特徴とする物入れ・物置台等のフレーム構造。
【発明の詳細な説明】
【技術分野】
【０００１】
本発明は、物入れ・物置台等のフレーム構造の改良に関するものである。
より具体的には、コネクタに設けた主支幹及び副支幹をフレーム管の端部に嵌め込み、フレーム管の窓孔及び副支幹の窓孔を通じて挿入したボルトの先端を、コネクタの副支幹の枠形リブのスロットから、座金のボルト挿通孔、副支幹の対向側壁のスロット、フレーム管の隔壁板に明けた前記ボルト挿通孔、主支幹の対向側壁のスロットを順次貫通させ、主支幹のナット収容スペースに収容されたナットにねじ込み締め付けることにより、ナットと座金の間に挟まれた主支幹の対向側壁、フレーム管の隔壁板及び副支幹の対向側壁を互いに堅固に密着、固定せしめ、これによって、コネクタとフレーム管を堅固に固定し、堅牢な構造物を組み立て得るよう構成されたことを特徴とする、組立てが容易で、堅牢かつ安全性に優れた物入れ・物置台等のフレーム構造に関するものである。
【背景技術】
【０００２】
物入れや物置台は、食器類、家電用品、書籍、各種装飾品等を収納、陳列するために広く利用されている。
極めて高級な物置台等は、高価な木材を用いて精密かつ堅固に作製されているが、高級木材は環境保護の観点等から次第に入手が困難になっている。そのため、一般の消費者が使用する日常の物入れや物置台は、科学技術の発達に伴って開発されたアルミニウム材や各種合成樹脂材を用いて作製されるようになっている。
しかしながら、それらの物置台等の構造は、組立てが困難であったり、逆に、組立てが容易なものは壊れ易かったり、不安定で堅牢さに欠けるという問題があった。
【０００３】
即ち、アルミニウム製のフレーム材を用いた従来公知の物置台等は、縦向き及び横向きのフレーム材を、三股若しくは四股状のコネクタで互いに連結する構造となっているが、コネクタの強度や剛性が不充分であったり、加工精度が低かったりすると、組み立てられた物置台等が歪んだり、変形したりして不安定で、耐久性に乏しく、重いものを載せるのは危険である等の問題があった。特に、消費者自身が組み立てて使用するタイプのものに、そのような問題が多かった。
【発明の開示】
【発明が解決しようとする課題】
【０００４】
本発明は、上記の如き従来公知の物置台等の問題点を解決するためなされたものであり、その目的とするところは、消費者が容易に組み立てることが可能であると共に、コネクタとフレーム材の連結構造が堅固で、耐重量性及び安定性に優れ、更には、外観的にも美麗な物入れ・物置台等のフレーム構造を提供することにある。
【課題を解決するための手段】
【０００５】
上記の目的を達成するため、本発明は、
複数本の横向き及び縦向きのフレーム管と、それらの端部を互いに連結する複数個のコネクタとから成る物入れ・物置台等のフレーム構造であって; 
上記各コネクタは、上記各フレーム管の端部に嵌め入れられる多方向に延び出る支幹を有し、それらの各支幹は、組み立てられたとき物入れ・物置台等の外方に臨む主支幹と、内方に臨む副支幹とから成り、当該主支幹と副支幹は、互いに平行かついずれも中空状に形成され、主支幹の対向側壁と副支幹の対向側壁とは間隙部を隔てて互いに平行に対向するよう形成され、中空状の主支幹の上記対向側壁の内壁面には、ナット収容スペースを画成するための軸方向に延びる枠形リブが形成され、同様に、中空状の副支幹の上記対向側壁の内壁面には、座金収容スペースを画成するための軸方向に延びる枠形リブが形成され、主支幹の対向側壁と副支幹の対向側壁と当該副支幹の内壁面の上記枠形リブとには、それぞれ対応する領域に略同形の軸方向に延びるスロットが形成されると共に、副支幹の物入れ・物置台等の内方に臨む側壁には窓孔が形成され; 
上記フレーム管は、少なくともその端部領域が、その内部に上記コネクタの主支幹及び副支幹を緊密に嵌め込み得る内面形状を有し、その内部には、上記主支幹の対向側壁と副支幹の対向側壁との間の上記間隙部に挿入される当該間隙部の間隔と略同等の肉厚の隔壁板が設けられると共に、その側壁には、上記主支幹及び副支幹を嵌め込んだときに副支幹の上記窓孔と対応する位置に窓孔が形成され、上記隔壁板が上記窓孔に臨む位置にはボルト挿通孔が明けられて成り; 
これらを組み立てるときは、コネクタの各主支幹及び副支幹を各フレーム管の端部に嵌め込み、フレーム管の窓孔及び副支幹の窓孔を通じて挿入したボルトの先端を、副支幹の枠形リブのスロットから、座金のボルト挿通孔、副支幹の対向側壁のスロット、フレーム管の隔壁板に明けた前記ボルト挿通孔、主支幹の対向側壁のスロットを順次貫通させ、上記ナットにねじ込み締め付けることにより、ナットと座金の間に挟まれた主支幹の対向側壁、フレーム管の隔壁板及び副支幹の対向側壁を互いに堅固に密着、固定せしめ、これによって、コネクタとフレーム管を堅固に固定し、堅牢な構造物を組み立て得るよう構成したことを特徴とする。
【発明の効果】
【０００６】
上記の如き構成であると、ナットと座金の間に、主支幹の対向側壁と、フレーム管の隔壁板と、副支幹の対向側壁とが挟まれた状態となり、ボルトによって締めつけられるナットと座金との間でそれらが互いに堅固に密着、固定せしめられるものであるから、組立て作業が容易であると共に、耐重量性及び安定性に優れた物入れ・物置台等のフレーム構造を提供し得るものである。また、ボルトやナットが外部から見えないので、外観的にも美麗なフレーム構造を提供し得るものである。
【発明を実施するための最良の形態】
【０００７】
以下、図面に示す実施例を参照しつつ、本発明を実施するための最良の形態について説明する。
【実施例】
【０００８】
図１は、本発明に係る物入れ・物置台等のフレーム構造において用いるコネクタの一実施例を示す立体斜視図、
図２は、本発明に係るフレーム構造におけるコネクタとフレーム管の連結方法を説明するための立体斜視図、
図３は、図１に示したコネクタの支幹の上面図、
図４は、図３に示したコネクタの支幹にナットと座金を装着した状態を示す上面図、
図５は、図４に示したコネクタの支幹に、フレーム管を嵌め合わせ、ボルトによって固定した状態を示す上面図、
図６は、本発明に係るフレーム構造を有する物入れ・物置台等の外観斜視図である。
【０００９】
先ず、本発明に係る物入れ・物置台等のフレーム構造の全体を説明するために、図６を参照すれば、本発明のフレーム構造は、多方向コネクタ９０，９１，９２と、これらによって連結される横方向フレーム管９３及び縦方向フレーム管９４とから構成され、コネクタ９０及び９２は三方向型（三股）、コネクタ９１は四方向型（四股）のコネクタであるが、本発明のフレーム構造に用いられるコネクタはこれらに限定されるものではなく、使用状況に応じてさまざまなタイプの多方向型のコネクタが用いられる。
【００１０】
図１、図３、図４には、三方向に延び出る３個の支幹を備えた三股構造の本発明で用いるコネクタの一実施例が示されている。
これら３個の支幹はいずれも、組み立てられたとき物入れ・物置台等の外方に臨む主支幹と、内方に臨む副支幹とから構成されている。即ち、図１に示すコネクタの第１の支幹は、主支幹１と副支幹４とから構成され、第２の支幹は主支幹２と副支幹５とから構成され、第３の支幹は主支幹３と副支幹６とから構成されている。これら３個の支幹は、いずれも同様の構成を有するものであるから、ここでは、主支幹１と副支幹４とから成る第１の支幹についてのみ説明する。
なお、コネクタは通常は硬質プラスチックを成型して作製されるが、場合によってはアルミニウム等の金属で作製されてもよい。
【００１１】
主支幹１と副支幹４は、互いに平行かついずれも中空状に形成され、主支幹１の対向側壁１２と副支幹４の対向側壁４２とは、間隙部８（図３，図４参照）を隔てて互いに平行に対向するよう形成されている。
中空状の主支幹１の上記対向側壁１２の内壁面には、ナット収容スペース１１０を画成するための軸方向に延びる枠形リブ１１が形成されている。同様に、中空状の副支幹４の上記対向側壁４２の内壁面には、座金収容スペース４１０を画成するための軸方向に延びる枠形リブ４１が形成されている。
主支幹の対向側壁１２と副支幹の対向側壁４２と当該副支幹の内壁面の上記枠形リブ４１とには、それぞれ対応する領域に略同形の軸方向に延びるスロット１３、４１２、４１１（図３，図４参照）が形成されている。
また、副支幹の物入れ・物置台等の内方に臨む側壁には窓孔４３が形成され、この窓孔４３とスロット４１１、４１２、１３は同一直線上に配置されるようになっている。
【００１２】
一方、図２及び図５に示されたフレーム管１０（フレーム管２０，３０についても同様）は、アルミニウム等の金属若しくは硬質プラスチックで作製され、少なくともその端部領域が、その内部に上記コネクタの主支幹１及び副支幹４を緊密に嵌め込み得る内面形状を有し、その内部には、上記主支幹の対向側壁１２と副支幹の対向側壁４２との間の前記間隙部８に挿入される当該間隙部の間隔と略同等の肉厚の隔壁板１０２が設けられている。
また、フレーム管１０の側壁には、上記主支幹及び副支幹を嵌め込んだときに副支幹の上記窓孔４３と対応する位置に窓孔１０１が形成されている。更にまた、上記隔壁板１０２が上記窓孔１０１に臨む位置には、ボルト挿通孔（図では省略）が明けられている。
【００１３】
上記コネクタとフレーム管を組み立てるときは、図２及び図５に示すように、コネクタの主支幹１及び副支幹４を、フレーム管１０の端部に嵌め込む。次いで、フレーム管の窓孔１０１及び副支幹の窓孔４３を通じて挿入したボルト７３の先端を、図５に示す如く、副支幹の枠形リブ４１のスロット４１１から、座金７１のボルト挿通孔、副支幹の対向側壁４２のスロット４１２、フレーム管の隔壁板１０２に明けたボルト挿通孔、主支幹の対向側壁１２のスロット１３を順次貫通させ、上記ナット７２にねじ込み締め付けるようにする。
これによって、ナット７２と座金７１の間に挟まれた主支幹の対向側壁１２、フレーム管の隔壁板１０２及び副支幹の対向側壁４２が、ボルト７３によって締めつけられるナットと座金によって互いに強固に密着、固定せしめられ、これによって、コネクタとフレーム管が堅固に固定され、重量物にも耐えられる安全性に優れた堅牢な物入れ・物置台等のフレーム構造が完成するものである。また、ボルトやナットが外部から見えないので、外観的にも美麗なフレーム構造となるものである。
【００１４】
なお、本発明は上記の実施例に限定されるものではなく、その目的の範囲内において、上記の説明から当業者が容易に想到し得るすべての変更実施例を包摂するものである。
【産業上の利用可能性】
【００１５】
本発明は以上の如く構成されるから、必要に応じて、二股状、三股状、四股状或いはそれより多い支幹を有するコネクタを用い、その主支幹及び副支幹をフレーム管に嵌め入れて、ボルトとナットで固定することにより、耐重量性及び安全性に優れた堅牢で外観的にも美麗な物入れ・物置台等のフレーム構造を提供し得るものである。
【図面の簡単な説明】
【００１６】
【図１】本発明に係る物入れ・物置台等のフレーム構造において用いるコネクタの一実施例を示す立体斜視図である。
【図２】本発明に係るフレーム構造におけるコネクタとフレーム管の連結方法を説明するための立体斜視図である。
【図３】図１に示したコネクタの支幹の上面図である。
【図４】図３に示したコネクタの支幹にナットと座金を装着した状態を示す上面図である。
【図５】図４に示したコネクタの支幹に、フレーム管を嵌め合わせ、ボルトによって固定した状態を示す上面図である。
【図６】本発明に係るフレーム構造を有する物入れ・物置台等の外観斜視図である。
【符号の説明】
【００１７】
１      主支幹
１０    縦向きフレーム管
１０１  窓孔
１０２  隔壁板
１１    枠形リブ
１１０  ナット収容スペース
１２    主支幹の対向側壁
１３    スロット
２      主支幹
２０    横向きフレーム管
３      主支幹
３０    横向きフレーム管
４      副支幹
４１    枠形リブ
４１０  座金収容スペース
４１１  スロット
４１２  スロット
４２    副支幹の対向側壁
４３    窓孔
５      副支幹
６      副支幹
７１    座金
７２    ナット
７３    ボルト
８      間隙部
９０    コネクタ
９１    コネクタ
９２    コネクタ
９３    横向きフレーム管
９４    縦向きフレーム管
【図１】
2005106237.tif 000003
【図２】
2005106237.tif 000004
【図３】
2005106237.tif 000005
【図４】
2005106237.tif 000006
【図５】
2005106237.tif 000007
【図６】
2005106237.tif 000008